(57)【特許請求の範囲】
【請求項１】
無線通信において動作可能な方法であって、
トーンの第一の集合及びフレーム・シンボルの第一の集合を使用して第一のデータ伝送の受取りに応答して第一のアクノレジメントを伝送することと、
トーンの第二の集合及びフレーム・シンボルの第二の集合を使用して前記第一のデータ伝送の受取りに応答して前記第一のアクノレジメントを伝送することと、を含み、ここにおいて、前記トーンの第一の集合及び前記トーンの第二の集合は相互に直交し、そして前記シンボルの第一の集合及び前記シンボルの第二の集合は相互に直交し、
前記第一のアクノレジメントを伝送することは、前記第一のアクノレジメントを伝送するために使用される、複数のブロックの周波数及び時間位置からなる第一のアクノレジメント伝送（ＡＣＫ ＴＸ）パターンを選択すること、及び、前記第一のアクノレジメントを伝送するための異なる時間及び周波数資源を前記複数のブロックの各ブロックに割付けることを具備する方法。
【請求項２】
トーンの第三の集合及びフレーム・シンボルの第三の集合を使用して前記第一のデータ伝送の受取りに応答して前記第一のアクノレジメントを伝送することをさらに含み、ここにおいて、前記トーンの第一の集合、前記トーンの第二の集合及び前記トーンの第三の集合は相互に直交し、そして前記シンボルの第一の集合、前記シンボルの第二の集合及び前記シンボルの第三の集合は相互に直交する、請求項１記載の方法。
【請求項３】
無線通信における動作可能な装置であって、
トーンの第一の集合及びフレーム・シンボルの第一の集合を使用して第一のデータ伝送の受取りに応答して第一のアクノレジメントを伝送する手段、及び
トーンの第二の集合及びフレーム・シンボルの第二の集合を使用して前記第一のデータ伝送の受取りに応答して前記第一のアクノレジメントを伝送する手段を含み、ここにおいて、前記トーンの第一の集合及び前記トーンの第二の集合は相互に直交し、そして前記シンボルの第一の集合及び前記シンボルの第二の集合は相互に直交し、
前記第一のアクノレジメントを伝送する手段は、前記第一のアクノレジメントを伝送するために使用される、複数のブロックの周波数及び時間位置からなる第一のアクノレジメント伝送（ＡＣＫ ＴＸ）パターンを選択する手段、及び、前記第一のアクノレジメントを伝送するための異なる時間及び周波数資源を前記複数のブロックの各ブロックに割付ける手段を具備する装置。
【請求項４】
トーンの第三の集合及びフレーム・シンボルの第三の集合を使用して前記第一のデータ伝送の受取りに応答して前記第一のアクノレジメントを伝送する手段をさらに具備し、ここにおいて、前記トーンの第一の集合、前記トーンの第二の集合及び前記トーンの第三の集合は相互に直交し、そして前記シンボルの第一の集合、前記シンボルの第二の集合及び前記シンボルの第三の集合は相互に直交する、請求項３記載の装置。
【請求項５】
コンピューター読取可能な記録媒体であって、
コンピューターに、
トーンの第一の集合及びフレーム・シンボルの第一の集合を使用して第一のデータ伝送の受取りに応答して第一のアクノレジメントを伝送させるためのコードと、
トーンの第二の集合及びフレーム・シンボルの第二の集合を使用して前記第一のデータ伝送の受取りに応答して前記第一のアクノレジメントを伝送させるためのコードと、
を備え、前記トーンの第一の集合及び前記トーンの第二の集合は相互に直交し、そして前記シンボルの第一の集合及び前記シンボルの第二の集合は相互に直交し、
前記第一のアクノレジメントを伝送させるためのコードは、前記第一のアクノレジメントを伝送するために使用される、複数のブロックの周波数及び時間位置からなる第一のアクノレジメント伝送（ＡＣＫ ＴＸ）パターンを選択させるためのコードと、及び、前記第一のアクノレジメントを伝送するための異なる時間及び周波数資源を前記複数のブロックの各ブロックに割付けさせるためのコードを具備する、コンピューター読取可能な記録媒体。
【請求項６】
無線通信における動作可能な装置であって、
トーンの第一の集合及びフレーム・シンボルの第一の集合を使用して第一のデータ伝送の受取りに応答して第一のアクノレジメントを伝送し、そして
トーンの第二の集合及びフレーム・シンボルの第二の集合を使用して前記第一のデータ伝送の受取りに応答して前記第一のアクノレジメントを伝送するように構成された少なくとも一つのプロセッサーを具備し、ここにおいて、前記トーンの第一の集合及び前記トーンの第二の集合は相互に直交し、そして前記シンボルの第一の集合及び前記シンボルの第二の集合は相互に直交し、
前記第一のアクノレジメントを伝送することは、前記第一のアクノレジメントを伝送するために使用される、複数のブロックの周波数及び時間位置からなる第一のアクノレジメント伝送（ＡＣＫ ＴＸ）パターンを選択すること、及び前記第一のアクノレジメントを伝送するための異なる時間及び周波数資源を前記複数のブロックの各ブロックに割付けることを具備する、装置。
【発明の詳細な説明】
【技術分野】
【０００１】
関連特許出願に対する相互参照
この特許出願は２００６年８月３０日に出願された「直交システムにおける繰返しによるＡＣＫＣＨのための方法及び装置（METHOD AND APPARATUS FOR ACKCH WITH REPETITION IN ORTHOGONAL SYSTEMS）」と題する米国特許出願仮番号第６０／８４１，４７４号の便益を要求する。前述の特許出願はこの中に引用によって組込まれる。
【０００２】
次の記述は一般に無線通信に関係し、特に伝送パターンを使用して受信データ伝送のためにＡＣＫを繰返すための機構を提供することに関係する。
【背景技術】
【０００３】
無線通信システムは、例えば、音声、データ、等々といった様々な形式の通信内容を提供するために広く配備されている。一般的な無線通信システムは利用可能なシステム資源（例えば、帯域幅、伝送電力、・・・）を共有することによって多数のユーザーとの通信を支援することが可能な多元アクセス・システムである。そのような多元アクセス・システムの例は符号分割多元アクセス（ＣＤＭＡ）システム、時分割多元アクセス（ＴＤＭＡ）システム、周波数分割多元アクセス（ＦＤＭＡ）システム、３ＧＰＰ ＬＴＥシステム、直交周波数分割多重（ＯＦＤＭ）、局部周波数分割多重（ＬＦＤＭ）、直交周波数分割多元アクセス（ＯＦＤＭＡ）システム、等々である。
【０００４】
無線通信システムでは、ノードＢ（或いは、基地局）は下り回線上でデータをユーザー装置（user equipment：ＵＥ）に送り、そして上り回線上でデータをＵＥから受取る。下り回線（または順方向回線）はノードＢからＵＥへの通信回線を云い、そして上り回線（または逆方向回線）はＵＥからノードＢへの通信回線を云う。ノードＢはまた制御情報（例えば、システム資源の割当）をＵＥへ送る。同様に、ＵＥは下り回線上のデータ伝送を支援するため、且つ／または他の目的のために制御情報をノードＢへ送る。
【０００５】
最新システムでは、混成自動再伝送（hybrid automatic retransmission：ＨＡＲＱ）処理がデータ伝送（例えば、データ・パケットまたはデータ割当パケット）の信頼性を向上させるために使用される。ＨＡＲＱ処理を使用するシステムでは、送信器はデータ・パケットを受信器に送り、そして受信器は応答においてアクノレジメント（データ・パケットが旨く処理されるならばＡＣＫ、もしくはデータ・パケットが旨く処理されないならばＮＡＫ）を伝送する。送信器はデータ・パケットを送った後、送信器はデータ・パケットを自動的に再伝送する前の既定時間期間の間ＡＣＫ／ＮＡＫの受信を待つ。タイマーが満了する前に、送信器がＡＣＫを受取るならば、送信器はＨＡＲＱ処理を終え、そしてもしあれば別の処理を始める。送信器がＮＡＫを受取るか、もしくはタイマーが満了するならば、送信器は別のＨＡＲＱ処理を開始し、そしてデータ・パケットを再伝送する。しかしながら、ＡＣＫが受信器によって伝送されたが、送信器がそれを処理できなかったか、もしくはタイマーが満了する前にＡＣＫを受取らなかったか、ＡＣＫ／ＮＡＫ伝送が信頼できなければ、送信器は別のＨＡＲＱ処理を開始し、そしてデータ・パケットを再伝送する。これは非常に非能率的で、そしてデータの搬送の遅延を引起こす。従って、システム性能を向上させるために、ＡＣＫ／ＮＡＫ繰返し手法を使用し、ＡＣＫ／ＮＡＫを伝送すべき周波数及び時間において効率的な伝送パターンを使用してＡＣＫ／ＮＡＫ伝送の信頼性を向上させることが望ましい。
【発明の概要】
【０００６】
そのような実施例の基本的理解を行うために下記は一以上の実施例の簡単な要約を提示する。この要約は熟考された全ての実施例の広範な要旨であるとは限らず、そして全ての実施例の鍵となる、または重要な要素を同定し、または全ての実施例の範囲の輪郭を示すいずれのものでもない。その唯一の目的は後で提示される詳細な記述の序章として簡単な形で一以上の実施例のいくつかの概念を提示することである。
【０００７】
一形態に基づき、無線通信システムのための方法は、第一のデータ伝送の受信に応答して第一のアクノレジメントが何回繰返されるべきかを決定する繰返し係数を使用すること、アクノレジメント伝送（ＡＣＫ ＴＸ）パターンを選択すること（ここではＡＣＫ ＴＸパターンは第一のアクノレジメントを伝送するために使用される複数のブロックに関する資源情報を含む）、及びＡＣＫ ＴＸパターンに従って第一のアクノレジメントを伝送すること（を含む）。
【０００８】
一形態に基づき、無線通信システムのための方法は、トーンの第一の集合及びフレームのシンボルの第一の集合を使用して第一のデータ伝送の受信に応答して第一のアクノレジメントを伝送すること、及びトーンの第二の集合及びフレームのシンボルの第二の集合を使用して第一のデータ伝送の受信に応答して第一のアクノレジメントを伝送すること（ここではトーンの第一の集合及びトーンの第二の集合は相互に直交し、そしてシンボルの第一の集合及びシンボルの第二の集合は相互に直交する）（を含む）。
【０００９】
別の形態に基づき、無線通信システムのための方法は、第一のアクノレジメントが受取られるであろう回数を示す最大繰返し係数を決定すること、最大繰返し係数を使用して第一の伝送パターンを決定すること（ここでは第一の伝送パターンは第一のアクノレジメントを受取るために使用される複数のブロックに関する資源情報から成る）、及び第一のアクノレジメントを受取るために第一の伝送パターンに基づいて資源を割付けること（を含む）。
【００１０】
前述及び関連の目的の達成に対して、一以上の実施例は以下に十分に記述され、特に請求項において指摘される特徴を含む。次の記述及び付随する図は一以上の実施例のある例示の詳細の形態を説明する。しかしながら、これらの形態は様々な実施例の原理が使用される様々な方法の二、三だけを示しており、そして記述された実施例はそのような全ての形態及びそれらの同等なものを含むことを意味する。
【図面の簡単な説明】
【００１１】
【図１】ここに述べた様々な形態による無線通信システムを例示する。
【図２】無線通信環境とともに使用するための通信装置例を示す。
【図３】ＨＡＲＱ手法を使用する下り回線及び上り回線の伝送パターンを示す。
【図４】ＨＡＲＱ手法を使用する下り回線及び上り回線の伝送パターンを示す。
【図５】ＨＡＲＱ処理を使用してデータ・パケット伝送を容易化にするための見本の方法論を例示する。
【図６】ＡＣＫ／ＮＡＫ伝送のためにＨＡＲＱ処理を容易化するための見本の方法論を例示する。
【図７】通信ネットワークへフィードバックを行う典型的なアクセス端末を示す。
【図８】ここに開示した無線ネットワーク環境と共に使用される典型的な基地局を例示する。
【図９】一以上の形態により無線通信環境へのフィードバックを容易化する典型的システムを示す。
【図１０】一以上の形態による伝送パターンを使用してＡＣＫ／ＮＡＫの繰返しを容易化する典型的システムを示す。
【図１１】一以上の形態による伝送パターンを使用してＡＣＫ／ＮＡＫの繰返しを容易化する典型的システムを示す。
【図１２】一以上の形態による伝送パターンを使用してＡＣＫ／ＮＡＫの繰返しを容易化する典型的システムを示す。
【発明を実施するための形態】
【００１２】
様々な形態はここに図面を参照して記述され、ここでは同じ参照数字が全体を通して同じ要素を参照するために使用される。以下の記述では、説明の目的のために、多数の特定の内容が一以上の形態の完全な理解を行うために説明される。しかしながら、そのような形態はこれらの特定の内容がなくても実践されることは明白である。他の場合には、周知の構造及びデバイスは一以上の形態の記述を容易化するためにブロック図形式で示される。
【００１３】
さらに、様々な開示の形態は下記で述べられる。ここの教示は広範な様々な形式で具現化されること、及びここに開示した特定の構造及び／または機能は単に代表的のものであることは明白なことである。ここの教示に基づいて、ここに開示した形態が他の形態とは無関係に実施されること、及びこれらの形態の二つ以上が様々な方法で組合せられることを当業者は認識すべきである。例えば、ここに述べた多数の形態を利用して装置は実装され、且つ／または方法は実践される。さらに、ここに述べた一以上の形態に加えて、もしくは別に他の構造及び／または機能を使用して装置は実施され、且つ／または方法は実践される。例として、ここに述べた多数の方法、デバイス、システム及び装置は直交システムにおいてＡＣＫチャネル反復を行う特別もしくは未計画／半計画の配備無線通信環境の情況で記述される。当業者は同様の技術が他の通信環境に適用されるであろうと認識するはずである。
【００１４】
この特許出願において使用される、用語「構成要素（コンポーネント）」、「システム」、等々はコンピューター関連の実体、即ち、ハードウェア、ソフトウェア、実行中のソフトウェア、ファームウェア、ミドルウェア、マイクロコード、及び／またはその組合せを云う。例えば、構成要素はプロセッサー上で走る処理、プロセッサー、対象（オブジェクト）、実行ファイル、実行スレッド、プログラム、及び／またはコンピューターであるが、それに制限されない。一以上の構成要素は処理及び／または実行スレッド内に在駐し、そして一つの構成要素は一台のコンピューターに集中されるか、且つ／または二台以上のコンピューターの間で分配される。同じく、これらの構成要素はそこに記憶された様々なデータ構造を持つ様々なコンピューター可読媒体から実行する。構成要素は一以上のデータ・パケット（例えば、局在システム、分散システムにおける別の構成要素と、且つ／またはインターネットのようなネットワークを通して信号によって他のシステムと相互に関係する一つの構成要素からのデータ）を持つ信号によるといった、局在及び／または遠隔処理によって通信する。さらに、ここに述べたシステムの構成要素はそれに従って述べた様々な形態、目標、利点等の達成を容易にするために追加構成要素によって再配置、且つ／または補完され、そして当業者に理解されるように所与の図面に示された正確な形状に制限されない。
【００１５】
さらに、様々な形態が加入者局に関連してここに述べられる。加入者局はまたシステム、加入者ユニット、移動局、モバイル、遠隔局、遠隔端末、アクセス端末、ユーザー端末、ユーザー・エージェント、ユーザー・デバイス、またはユーザー装置と呼ばれる。加入者局はセルラー電話、コードレス電話、 セッション開始プロトコル（ＳＩＰ）電話、無線ローカル・ループ（ＷＬＬ）局、携帯情報端末（ＰＤＡ）、無線接続能力を持つ携帯用デバイス、または無線モデム、または処理デバイスとの無線通信を容易化する同様の機構と接続された他の処理デバイスである。
【００１６】
さらに、ここに述べた様々な形態または特徴は標準のプログラミング及び／またはエンジニアリング技術を使用する方法、装置、または製品（article of manufacture）として実施される。ここに使用される用語「製品」は任意のコンピューター可読デバイス、キャリア、または媒体からアクセス可能なコンピューター・プログラムを包含するものである。例えば、コンピューター可読媒体は磁気記憶デバイス（例えば、ハード・ディスク、フロッピー（登録商標）・ディスク、磁気テープ、・・・）、光ディスク（例えば、コンパクト・ディスク（ＣＤ）、ディジタル多用途ディスク（ＤＶＤ）、・・・）、スマート・カード、及びフラッシュ・メモリー・デバイス（例えば、カード、スティック、キー・ドライブ、・・・）を含むが、それに制限されない。さらに、ここに述べた様々な記憶媒体は情報を記憶する一以上のデバイス及び／または他のマシン可読媒体を表す。用語「マシン可読媒体」は命令（instruction(s)）及び／またはデータを記憶し、含み、且つ／または搬送することが可能な無線チャネル及び様々な他の媒体を含むが、それに制限されない。
【００１７】
さらに用語「典型的な（exemplary）」は例（example）、場合（instance）、または例示（illustration）として役立つことを意味するためにここに使用される。「典型的な」としてここに述べた任意の形態及び設計は他の形態及び設計に対して必ずしも好ましい、または有利であるとして解釈されるとは限らない。むしろ、用語「典型的な」は具体的方法における概念を提示するものである。この特許出願で使用される、用語「または（or）」は排他的な「または」ではなく、包括的な「または」を意味するものである。即ち、別に指定されるか、もしくは文脈から明らかでない限り、「ＸはＡまたはＢを使用する」は自然の包括的な任意の順列を意味するものである。即ち、ＸがＡを使用すれば；ＸがＢを使用すれば；ＸがＡ及びＢの両方を使用すれば、「ＸがＡまたはＢを使用する」は前述のどの場合でも満足される。さらに、この特許出願及び付随の請求項において使用される、冠詞「一つの（"a" 及び "an"）」は単数形に指示されるように文脈から別に指定されるか、あるいは明らかでない限り「一以上の（one or more）」を意味すると一般に解釈すべきである。
【００１８】
ここに使用される、用語「推論する（infer）」または「推論（inference）」は一般にイベント及び／またはデータによって獲得された一組の観測からシステム、環境、及び／またはユーザーの状態について判断し、或いは推論する過程を云う。例えば、推論は特定の情況または動作を同定するために使用され、或いは状態にわたる確率分布を生成することができる。その推論は確率的であり、即ち、データ及びイベントに基づく関心の状態に関する確率分布の計算である。推論はまた一組のイベント及び／またはデータから高レベルのイベントを構成するために使用される技術を云う。イベントが非常に近い時間内で相関するか否かに拘らず、そしてイベント及びデータが一つまたはいくつかのイベント及びデータ源に由来すか否かに拘らず、そのような推論は一組の観測イベント及び／または記憶イベント・データからの新しいイベントまたは行動の構築に帰着する。
【００１９】
ここに述べた技術は符号分割多元アクセス（ＣＤＭＡ）ネットワーク、 時分割多元アクセス（ＴＤＭＡ）ネットワーク、周波数分割多元アクセス（ＦＤＭＡ）ネットワーク、直交ＦＤＭＡ（ＯＦＤＭＡ）ネットワーク、単一キャリアＦＤＭＡ（ＳＣ-ＦＤＭＡ）ネットワーク、等々といった様々な無線通信ネットワークについて使用される。用語「ネットワーク」及び「システム」はしばしば互換的に使用される。ＣＤＭＡネットワークは汎用地上無線アクセス（Universal Terrestrial Radio Access：ＵＴＲＡ）、ｃｄｍａ２０００、等といった無線技術を実施する。ＵＴＲＡは広帯域ＣＤＭＡ（Ｗ-ＣＤＭＡ）及び低チップ速度（Low Chip Rate：ＬＣＲ）を含む。ｃｄｍａ２０００はＩＳ-２０００、ＩＳ-９５、ＩＳ-８５６規格に対応する。ＴＤＭＡネットワークは汎欧州ディジタル・セルラー・システム（Global System for Mobile Communications：ＧＳＭ(登録商標））のような無線技術を実施する。ＯＦＤＭＡネットワークは次期ＵＴＲＡ（Evolved UTRA：Ｅ-ＵＴＲＡ）、ＩＥＥＥ ８０２．１１、ＩＥＥＥ ８０２．１６、ＩＥＥＥ ８０２．２０、フラッシュＯＦＤＭ（商標名）といった無線技術を実施する。ＵＴＲＡ、Ｅ-ＵＴＲＡ、及びＧＳＭは汎用モバイル通信システム（Universal Mobile Telecommunication System：ＵＭＴＳ）の一部である。ロング・ターム・エボリューション（Long Term Evolution：ＬＴＥ）はＥ-ＵＴＲＡを使用するＵＭＴＳの次のリリースである。ＵＴＲＡ、Ｅ-ＵＴＲＡ、ＧＳＭ、ＵＭＴＳ及びＬＴＥは第３世代共同プロジェクト（3rd Generation Partnership Project：３ＧＰＰ）という団体からの文書に記載されている。ｃｄｍａ２０００は第３世代共同プロジェクト（3rd Generation Partnership Project 2：３ＧＰＰ２）という団体からの文書に記載されている。これらの様々な無線技術及び規格は当技術分野において既知である。明確にするために、その技術のある形態は下記でＬＴＥにおける上り回線伝送について記述され、そして３ＧＰＰ用語は下記の記述の大部分において使用される。
【００２０】
単一キャリア周波数分割多元アクセス（ＳＣ-ＦＤＭＡ）は単一キャリア変調及び周波数領域等化を利用する技術である。ＳＣ-ＦＤＭＡはＯＦＤＭＡシステムのそれらと同じ性能及び本質的に同じ全体の複雑さを有する。ＳＣ-ＦＤＭＡ信号はその本来の単一キャリア構造のために低ピーク対平均電力比（peak-to-average ratio：ＰＡＰＲ）を持つ。ＳＣ-ＦＤＭＡは特に低ＰＡＰＲが伝送電力効率に関してモバイル端末に非常に利益となる上り回線通信において注目を引いてきた。それは現在３ＧＰＰロング・ターム・エボリューション（ＬＴＥ）、または次期ＵＴＲＡにおける上り回線多元アクセス手法のための作業仮定である。
【００２１】
ＬＴＥは下り回線上で直交周波数分割多重化（ＯＦＤＭ）を利用し、そして上り回線上で単一キャリア周波数分割多重化（ＳＣ-ＦＤＭ）を利用する。ＯＦＤＭ及びＳＣ-ＦＤＭはシステム帯域幅を多数（Ｎ）の直交サブキャリアに分割し、それはまた一般にトーン、ビン、等と呼ばれる。各サブキャリアはデータによって変調される。一般に、変調シンボルはＯＦＤＭによって周波数領域において送られ、そしてＳＣ-ＦＤＭによって時間領域において送られる。ＬＴＥに関して、隣接サブキャリア間の間隔は固定され、そしてサブキャリアの総数（Ｎ）はシステム帯域幅に依存する。一つの設計では、５ＭＨｚのシステム帯域幅ではＮ＝５１２、１０ＭＨｚのシステム帯域幅ではＮ＝１０２４、そして２０ＭＨｚのシステム帯域幅ではＮ＝２０４８である。一般に、Ｎは整数値である。
【００２２】
図１は例えば一以上の形態と関連して利用されるなど、多数の基地局１１０及び多数の端末１２０を持つ無線通信システム１００を例示する。基地局は一般に端末と通信する固定局であり、そしてまたアクセスポイント、ノードＢ、または他の用語で呼ばれる。各基地局１１０は三つの地理的区域として例示され、１０２ａ、１０２ｂ、及び１０２ｃのラベル付けされた、特定の地理的区域に通信受信域（communication coverage）を提供する。用語「セル（cell）」はその用語が使用される文脈に応じて基地局及び／またはその受信区域を云う。システム容量を向上させるために、基地局受信区域は多数の小区域（例えば、図１のセル１０２ａによれば、三つの小区域）１０４ａ、１０４ｂ、及び１０４ｃに分割される。各小区域はそれぞれの基地送受信サブシステム（ＢＴＳ）によるサービスを受ける。用語「セクター」はその用語が使用される文脈に応じてＢＴＳ及び／またはその受信区域を云う。セクター化セルについて、そのセルの全てのセクターのＢＴＳは一般的にセルに関する基地局の中の同一場所に位置される。ここに述べた伝送技術は非セクター化セルを持つシステムと同様にセクター化セルを持つシステムについて使用される。簡単にするために、以下の記述では、用語「基地局（base station）」はセルにサービスする固定局と同様にセクターにサービスする固定局について一般的に使用される。
【００２３】
端末１２０は一般的にシステムの至る所に分散され、そして各端末は固定されるか、もしくは移動する。端末はまた移動局、ユーザー装置、ユーザー・デバイス、または他のいくつかの用語で呼ばれる。端末は無線デバイス、セルラー電話、携帯情報機器（ＰＤＡ）、無線モデム・カード、等である。各端末１２０はいつでも下り回線及び上り回線のゼロ、一つ、または多数の基地局と通信する。下り回線（または、順方向回線）は基地局から端末への通信回線を云い、そして上り回線（または、逆方向回線）は端末から基地局への通信回線を云う。
【００２４】
集中化アーキテクチャに関して、システム制御器１３０は基地局１１０に連結し、そして基地局１１０のために調整及び制御を行う。分散アーキテクチャに関して、基地局１１０は必要に応じてお互いに通信する。順方向回線上のデータ伝送は一つのアクセスポイントから一つのアクセス端末へ順方向回線及び／または通信システムによって支持される最大データ速度、もしくはその近辺で起こる。順方向回線の追加チャネル（例えば、制御チャネル）は多数のアクセスポイントから一つのアクセス端末に伝送される。逆方向回線データ通信は一つのアクセス端末から一以上のアクセスポイントへ起こる。
【００２５】
図２は様々な形態による、アドホックもしくは未計画／半計画の無線通信環境２００の例示である。システム２００は無線通信信号を相互に及び／または一以上のモバイル・デバイス２０４へ受信、送信、反復などする一以上のセクターにおいて一以上の基地局２０２を含む。例示したように、各基地局２０２は三つの地理的区域として例示され、２０６ａ、２０６ｂ、２０６ｃ及び２０６ｄのラベル付けされた、特定の地理的区域に通信受信域を提供する。各基地局２０２は送信器チェーン及び受信器チェーンを含み、その各々は当業者により理解されるように、信号伝送及び受信に関連する複数の構成要素（例えば、プロセッサー、変調器、マルチプレクサー、復調器、デマルチプレクサー、アンテナ、等）を同様に含む。例えば、モバイル・デバイス２０４はセルラー電話、スマート・フォン（電話）、ラップトップ、携帯用通信デバイス、携帯用計算デバイス、衛星無線器、全地球測位システム、ＰＤＡ、及び／または無線ネットワーク２００越しに通信するその他の適切なデバイスである。システム２００は柔軟なパイロット・パターンに対して順番にここに述べた様々な形態と関連して使用される。
【００２６】
ここに述べた技術はＣＤＭＡ、ＴＤＭＡ、ＦＤＭＡ、ＯＦＤＭＡ、ＳＣ-ＦＤＭＡシステムといった様々な無線通信システムのために使用される。用語「システム」及び「ネットワーク」はしばしば互換的に使用される。ＣＤＭＡネットワークは汎用地上無線アクセス（ＵＴＲＡ）、ｃｄｍａ２０００、等といった無線技術を実施する。ＵＴＲＡは広帯域ＣＤＭＡ（Ｗ-ＣＤＭＡ）及び低チップ速度（ＬＣＲ）を含む。ｃｄｍａ２０００はＩＳ-２０００、ＩＳ-９５、ＩＳ-８５６規格に対応する。ＴＤＭＡネットワークは汎欧州ディジタル・セルラー・システム（ＧＳＭ）のような無線技術を実施する。ＯＦＤＭＡネットワークは次期ＵＴＲＡ（Ｅ-ＵＴＲＡ）、ＩＥＥＥ ８０２．１１、ＩＥＥＥ ８０２．１６、ＩＥＥＥ ８０２．２０、フラッシュＯＦＤＭ（商標名）といった無線技術を実施する。これらの様々な無線技術及び規格は当技術分野において既知である。ＵＴＲＡ、Ｅ-ＵＴＲＡ、及びＧＳＭは汎用モバイル通信システム（ＵＭＴＳ）の一部である。ロング・ターム・エボリューション（ＬＴＥ）はＥ-ＵＴＲＡを使用するＵＭＴＳの次のリリースである。ＵＴＲＡ、Ｅ-ＵＴＲＡ、ＧＳＭ、ＵＭＴＳ及びＬＴＥは第３世代共同プロジェクト（３ＧＰＰ）という団体からの文書に記載されている。ｃｄｍａ２０００は第３世代共同プロジェクト（３ＧＰＰ２）という団体からの文書に記載されている。明確にするために、その技術のある形態は下記でＬＴＥにおける上り回線伝送について記述され、そして３ＧＰＰ用語は下記の記述の大部分において使用される。
【００２７】
ＬＴＥは下り回線上で直交周波数分割多重化（ＯＦＤＭ）を利用し、そして上り回線上で単一キャリア周波数分割多重化（ＳＣ-ＦＤＭ）を利用する。ＯＦＤＭ及びＳＣ-ＦＤＭはシステム帯域幅を多数（Ｎ）の直交サブキャリアに分割し、それはまた一般にトーン、ビン、等と呼ばれる。各サブキャリアはデータによって変調される。一般に、変調シンボルはＯＦＤＭによって周波数領域において送られ、そしてＳＣ-ＦＤＭによって時間領域において送られる。ＬＴＥに関して、隣接サブキャリア間の間隔は固定され、そしてサブキャリアの総数（Ｎ）はシステム帯域幅に依存する。一つの設計では、５ＭＨｚのシステム帯域幅ではＮ＝５１２、１０ＭＨｚのシステム帯域幅ではＮ＝１０２４、そして２０ＭＨｚのシステム帯域幅ではＮ＝２０４８である。一般に、Ｎは整数値である。
【００２８】
そのシステムは周波数分割二重（ＦＤＤ）モード及び／または時分割二重（ＴＤＤ）モードに対応する。ＦＤＤモードでは、個別の周波数チャネルが下り回線及び上り回線伝送のために使用され、そして下り回線伝送及び上り回線伝送はそれらの個別の周波数チャネル上で同時に送られる。ＴＤＤモードでは、共通の周波数チャネルが下り回線と上り回線伝送の両方のために使用され、下り回線伝送はある時間期間に送られ、そして上り回線伝送は他の時間期間に送られる。
【００２９】
ＬＴＥ下り回線伝送手法は無線フレーム（例えば、１０ｍｓ無線フレーム）によって分割される。各フレームは周波数（例えば、サブキャリア）及び時間（例えば、ＯＦＤＭシンボル）で作られたパターンを含む。１０ｍｓ無線フレームは複数の隣接０．５ｍｓサブフレーム（またサブフレームまたは時間スロットと云われ、以降、互換的に使用される）に分割される。各サブフレームは複数の資源ブロックを含み、ここでは各資源ブロックは一以上のサブキャリア及び一以上のＯＦＤＭシンボルで構成される。一以上の資源ブロックはデータ、制御情報、パイロット、またはその任意の組合せの伝送のために使用される。
【００３０】
混成自動再伝送（ＨＡＲＱ）はデータ伝送の信頼性を向上させるために使用される。例えば、大部分のシステムでは、ＨＡＲＱは物理的下り回線共有チャネル（ＰＤＳＣＨ）または物理的上り回線共有チャネル（ＰＵＳＣＨ）に使用され、それらは双方共単に共有データ・チャネル（ＳＤＣＨ）と呼ばれ、そこではデータ・チャネルはアクノレジメントチャネル（ＡＣＫＣＨ）を使用してＵＥから伝送されたＡＣＫ／ＮＡＫに基づいてＬ１で再伝送される。下り回線上のＨＡＲＱに関して、ノードＢはパケットの伝送（信号）を送り、そしてパケットがＵＥによって正しく復号されるまで、或いは最大数の再伝送が送られたか、或いは他の終了条件に遭遇するまで一以上の再伝送を送る。
【００３１】
ＨＡＲＱ処理はパケットの全ての伝送及び、もしあれば、再伝送を云う。ＨＡＲＱ処理は資源が利用可能なとき開始され、そして第一の伝送の後、もしくは一以上の次の再伝送の後に終結する。ＨＡＲＱ処理は受信器における復号結果によって決まる可変持続期間を持つ。ＨＡＲＱ処理はシステムにおいて動作する一つのＵＥまたは多数のＵＥに関係する。各ＨＡＲＱ処理は一つのＨＡＲＱのインターレース（interlace）で送られる。一形態では、各ＨＡＲＱ処理は一つのＨＡＲＱのインターレース（例えば、サブフレーム、スロット、資源ブロック等）で送られる。
【００３２】
例えば、資源及びデータが用意されているとき、ノードＢはデータ・パケットをＵＥに送る。データ・パケットがＵＥによって受取られるならば、ＵＥはデータ・パケットが旨く処理されたならばＡＣＫを伝送し、またデータ・パケットの復号に誤りがあったならばＮＡＫを送る。応答では、ノードＢはＮＡＫが受取られたか、もしくはアクノレジメントを受取る前にタイマーが満了したならば同じパケットを再伝送する。
【００３３】
図３は一形態による下り回線上のＳＤＣＨ及び上り回線上のＡＣＫＣＨのＨＡＲＱ処理に関する下り回線及び上り回線伝送処理３００を例示する。ＳＤＣＨのＨＡＲＱ処理及び関連するＡＣＫ／ＮＡＫ処理はＬＴＥシステムの無線フレーム３３０について示される。例として、５ＨＡＲＱ処理が１０ｍｓ無線フレーム３３０の異なるサブフレームに対して使用される。各ＨＡＲＱ処理はデータを異なるＵＥまたは同じＵＥに伝送するように予定される。これはシステムのスケジューラーに依存する。無線フレームの間で使用されるＨＡＲＱ処理の数はシステム要求によって決まる。例として、５ＨＡＲＱ処理は二組の繰返しＨＡＲＱ処理（例えば、ＨＡＲＱ ０〜ＨＡＲＱ ４）として示される。第一の組は仮想資源ブロック３０２〜３１０を含み、そして第二の組は仮想資源ブロック３１２〜３２０を含む。下り回線のために使用される各資源ブロックはトーン及びシンボルの集合で作られる。二つの集合の各資源ブロックに関する周波数の位置は同じである。資源ブロックは全体のサブフレームまたはＳＤＣＨに指定された一部のサブフレームである。明確にするために、ここに述べたＨＡＲＱ処理は第一の組の仮想資源ブロック３０２〜３１０に関するものである。各仮想資源ブロックに割付けられた帯域幅（例えば、サブキャリア及びＯＦＤＭシンボルの数）はシステム要求に基づいて変る。
【００３４】
下り回線上の各ＨＡＲＱ処理３０２〜３１０（例えば、ＳＤＣＨを使用する）に関して、上り回線上の対応するＡＣＫ／ＮＡＫ３５２〜３６０（例えば、ＡＣＫＣＨを使用する）がある。上り回線のために使用される各資源ブロックはトーン及びシンボルの集合で作られる。二組の各資源ブロックに関する周波数の位置は同じである。資源ブロックは全体のサブフレームまたはＳＤＣＨに指定された一部のサブフレームである。各仮想資源ブロックに割付けられた帯域幅（例えば、サブキャリア及びＯＦＤＭシンボルの数）はシステム要求に基づいて変る。
【００３５】
ＨＡＲＱでは、ＳＤＣＨ上でＨＡＲＱ処理を使用して送られた全てのデータ・パケット、例えば、ＨＡＲＱ ０について、ＡＣＫＣＨを使用するＡＣＫ／ＮＡＫ伝送、例えば、ＡＣＫ ０がある。ＡＣＫＣＨの設定に必要な情報はおそらく異なるチャネルを使用して送られる。一形態では、上り回線上のＡＣＫＣＨのために使用される各仮想資源ブロックの周波数位置は下り回線上のＳＤＣＨに対応する周波数位置の陰関数である。従って、この例では、下り回線上のサブフレーム中の３３２の周波数の開始位置は上り回線上のサブフレーム中の３６２の周波数の同じ開始場所である。同じく、図３に示したように、上り回線上のＡＣＫＣＨのために使用される各仮想資源ブロックに関する時間の位置は下り回線上のＳＤＣＨに対応する時間の位置の陰関数である。一形態では、ＨＡＲＱ処理に対応するＡＣＫＣＨのための開始時間位置はオフセットされ、３６４に示される。
【００３６】
図４は一形態による下り回線上のＳＤＣＨに関するＨＡＲＱ処理及び上り回線上のＡＣＫＣＨに関するＡＣＫ／ＮＡＫ伝送のための手法に関する下り回線及び上り回線伝送処理４００を例示する。一形態に基づくＨＡＲＱ処理は伝送パター４５０を使用してＡＣＫ／ＮＡＫを伝送するＨＡＲＱ処理を提供する。ＡＣＫ／ＮＡＫ伝送パターン４５０は様々な要素に基づき、例えば、ＡＣＫ／ＮＡＫが繰返しを要求される回数に基づき選択される。一形態では、対応するＤＬデータ資源（例えば、ＨＡＲＱ処理資源）及びＵＬ ＡＣＫ伝送パターン（例えば、ＡＣＫ／ＮＡＫ伝送資源）の間に暗黙の写像（implicit mapping）がある。そのパターンは時間、周波数及びコードによって定義された一以上の資源ブロックである。一形態では、ＡＣＫ／ＮＡＫ伝送パターンは対応するデータ・パケットの時間及び周波数の位置の陰関数である。一形態では、ＡＣＫ／ＮＡＫ伝送パターンは対応するデータ割当パケット（例えば、ＰＤＣＣＨ（物理的下り回線制御チャネル））のような制御チャネル）の時間及び周波数の位置の陰関数である。
【００３７】
ＳＤＣＨ及び関連するＡＣＫ／ＮＡＫ処理に関するＨＡＲＱ処理はＬＴＥシステムの無線フレーム４３０について示される。例として、１０ＨＡＲＱ処理が１０ｍｓ無線フレーム４３０の異なるサブフレームに対して使用される。各ＨＡＲＱ処理はデータを異なるＵＥまたは同じＵＥに伝送するように予定される。これはシステムのスケジューラーに依存する。無線フレームの間に使用されるＨＡＲＱ処理の数はシステム要求によって決まる。例示として、１０ＨＡＲＱ処理は二組の繰返しＨＡＲＱ処理（例えば、ＨＡＲＱ ０〜ＨＡＲＱ ４）として示される。第一の組は仮想資源ブロック４０２〜４１０を含み、そして第二の組は仮想資源ブロック４１２〜４２０を含む。下り回線のために使用される各資源ブロックはトーン及びシンボルの集合で作られる。二組の各資源ブロックに関する周波数の場所は同じである。資源ブロックは全体のサブフレームまたはＳＤＣＨに指定された一部のサブフレームである。明確にするために、ここに述べたＨＡＲＱ処理は第一の組の仮想資源ブロック４０２〜４１０に関するものである。各仮想資源ブロックに割付けられた帯域幅（例えば、サブキャリア及びＯＦＤＭシンボルの数）はシステム要求に基づいて変る。
【００３８】
下り回線上の各ＨＡＲＱ処理４０２〜４１０（例えば、ＳＤＣＨを使用する）に関して、上り回線上の対応するＡＣＫ／ＮＡＫ４５２〜４６０（例えば、ＡＣＫＣＨを使用する）がある。上り回線のために使用される各資源ブロックはトーン及びシンボルの集合で作られる。下り回線の各資源ブロックに関する周波数の位置は同じである。下り回線の資源ブロックは全体のサブフレームまたはＳＤＣＨに指定された一部のサブフレームである。各仮想資源ブロックに割付けられた帯域幅（例えば、サブキャリア及びＯＦＤＭシンボルの数）はシステム要求に基づいて変る。
【００３９】
一形態では、ＡＣＫ／ＮＡＫはＨＡＲＱ処理を使用して送られたデータ・パケットについて繰返される。各ＵＥに位置及び繰返しアクノレジメントを伝送する時間を明白に通告することによりオーバーヘッドを低減するために、資源が多数のＡＣＫＩＤを使用して各伝送に割付けられる。一形態では、ＡＣＫＣＨのために使用される周波数は複数のトーン集合４６２、４６４及び４６６に分割される。一形態では、無線フレームに関して、ＡＣＫＣＨの各資源ブロックは複数のサブブロックに周波数で分割され、そこでは各サブブロックが同じトーン集合４６２、４６４及び４６６について割当てられる。各ＡＣＫ／ＮＡＫ伝送について、サブブロックは伝送を実行するために使用される。ＡＣＫ／ＮＡＫ伝送に指定されたサブブロックの数はデータ・パケットに必要なＡＣＫ／ＮＡＫ伝送の数に依存する。一形態では、ＡＣＫ／ＮＡＫの伝送のために使用されるサブブロックは時間及び周波数において直交する。ＡＣＫＣＨのこの周波数分割は発明の時に利用されていないＬＴＥシステムにおいて利用可能である。
【００４０】
周波数の分割はシステムにおいてＵＥにより必要とされる再伝送の最大数に依存する。例えば、ＵＥが３の繰返し係数によってＡＣＫ／ＮＡＫを再伝送する必要があるならば、無線フレームに関するＡＣＫＣＨの仮想資源ブロックは周波数を三つに分割される；或いはＵＥが２の繰返し係数によってＡＣＫ／ＮＡＫを再伝送する必要があるならば、無線フレームに関するＡＣＫＣＨの仮想資源ブロックは周波数を二つに分割される。上り回線上のＡＣＫＣＨ周波数の分割は一つの無線フレームから別のものに変化し、そしてその分割は無線フレーム中の全ての資源ブロックに適用する。一形態では、ＵＥまたはデータ・パケットの最大繰返し係数は３に制限され、従ってＡＣＫＣＨに割付けられる周波数は三つに分割される。
【００４１】
一形態では、繰返し係数使用は各ＨＡＲＱ処理について動的に修正されるか、事前設定される。繰返し係数はＡＣＫ／ＮＡＫに割付けられた最大周波数及びＡＣＫ／ＮＡＫを適切に伝送するために必要な最小周波数に基づいて制限される。一形態では、繰返し係数は各フレームについて異なる。繰返し係数はＵＥによって要求されるか、もしくは測定条件に基づいてＵＥに割当てられる。繰返し係数は特定のノードＢ及び継続期間について事前設定される。繰返し係数は利用可能な帯域幅に基づいて計算される。繰返し係数はノードによって受取られなかったＡＣＫ／ＮＡＫの数に基づいて計算される。ノードＢはＵＥからアクノレジメントを全く受取らなかったので、ノードＢはノードＢが再伝送した回数に基づいてＨＡＲＱ処理に関する繰返し係数を調整する。同じく、繰返し係数は高位層信号通信を用いて多分提供される。繰返し係数はＡＣＫＣＨ割当の時に提供される。一形態では、ノードＢは受取られたＡＣＫの数、廃棄されたＡＣＫの数（何故ならば、第一のＡＣＫは適切に受取られたので）及び受取られなかったＡＣＫの数を解析する。このデータを使用して、ノードＢはＵＥについて繰返し係数を調整する。
【００４２】
図４に戻ると、上り回線伝送パターン４５０は３の最大繰返し係数に基づいて一形態によるパターンとしてここに記載されている。この例では、ＨＡＲＱ処理０に関するデータは３の繰返し係数によってＡＣＫ／ＮＡＫを繰返すことを必要とするＵＥに送られる；ＨＡＲＱ処理１に関するデータは１の繰返し係数によってＡＣＫ／ＮＡＫを繰返すことを必要とするＵＥに送られる；ＨＡＲＱ処理２に関するデータは１の繰返し係数によってＡＣＫ／ＮＡＫを繰返すことを必要とするＵＥに送られる；ＨＡＲＱ処理３に関するデータは２の繰返し係数によってＡＣＫ／ＮＡＫを繰返すことを必要とするＵＥに送られる；そしてＨＡＲＱ処理４に関するデータは１の繰返し係数によってＡＣＫ／ＮＡＫを繰返すことを必要とするＵＥに送られる。
【００４３】
一形態では、第一のＡＣＫ／ＮＡＫに関する時間及び周波数位置は対応するデータ・パケットまたはデータ割当のいずれかの時間及び周波数位置の関数である。例えば、サブフレーム（または、資源ブロック）Ｋにおけるデータ伝送、対応する第一のＡＣＫ／ＮＡＫの伝送は資源Ａ（例えば、資源サブブロック４８０）を使用するサブフレームＫ＋４にある。同じデータ伝送の次の繰返しＡＣＫ／ＮＡＫに関する時間及び周波数位置は同じデータ・パケットまたはデータ割当のいずれかの時間及び周波数位置である。例えば、サブフレームＫにおけるデータ伝送、同じデータ伝送に関する第二のＡＣＫ／ＮＡＫは資源Ｂ（例えば、資源サブブロック４８２）を使用するサブフレームＫ＋５においてであり、サブフレームＫにおけるデータ伝送、同じデータ伝送に関する第二のＡＣＫ／ＮＡＫは資源Ｃ（例えば、資源サブブロック４８４）を使用するサブフレームＫ＋６においてである。資源Ａ、Ｂ及びＣは時間及び周波数、コード、チャネル等を表す。
【００４４】
対応するＨＡＲＱ処理に関するＡＣＫ、ＡＣＫ／ＮＡＫはＡＣＫ／ＮＡＫの第一の伝送のための同じトーン集合４６６を使用して伝送され、そして時間で直交している。一形態では、ＨＡＲＱ処理に対応するＡＣＫＣＨの開始時間位置はオフセットされ、４７０に示されている。この例について、第一のＡＣＫ／ＮＡＫはトーン４６６と、ＨＡＲＱ処理０に対応するＡＣＫ ０のためのシンボル４５２；ＨＡＲＱ処理１に対応するＡＣＫ １のためのシンボル４５４；ＨＡＲＱ処理２に対応するＡＣＫ ２のためのシンボル４５６；ＨＡＲＱ処理３に対応するＡＣＫ ３のためのシンボル４５８；及びＨＡＲＱ処理４に対応するＡＣＫ ４のためのシンボル４６０４を使用して伝送される。
【００４５】
ＡＣＫ／ＮＡＫに関するＨＡＲＱ処理について、ＨＡＲＱ処理のための対応するＡＣＫは各繰返し伝送の間異なる周波数位置を使用するＡＣＫＣＨを使用して伝送される。例えば、ＨＡＲＱ処理０のためにデータを受取るＵＥはＡＣＫ／ＮＡＫが３回繰返されることを要求し、対応するＡＣＫ／ＮＡＫ（例えば、ＡＣＫ ０）は第一の伝送のためのサブブロック４８０、そして伝送を繰返すためにサブブロック４８２、及びサブブロック４８４を使用して伝送される。繰返しＡＣＫ／ＮＡＫを伝送するために使用されるサブブロックの周波数は対応するＨＡＲＱ処理に使用される資源ブロックによって使用される周波数にオフセット値を加えたものの関数である。オフセット値は少なくともＡＣＫ／ＮＡＫの第一の伝送に使用されるトーンの値より大きくなければならない。このように、サブブロック４８０、４８２及び４８４のために使用されるトーンの集合は４６２、４６４及び４６６に示される。一形態では、ＡＣＫ ＴＸパターンの第一のブロック４８０の資源時間及び周波数位置は対応するデータ・パケット（例えば、共有チャネル及び４０２におけるＨＡＲＱ処理０を使用して伝送される）の時間及び周波数位置の陰関数であり、そしてＡＣＫ ＴＸパターンの次のブロック４８２及び４８４の時間及び周波数位置は対応するデータ・パケット（例えば、４０２におけるＨＡＲＱ処理０を使用して伝送される）の時間及び周波数位置の陰関数である。
【００４６】
別の形態では、ＡＣＫ ＴＸパターンの第一のブロック４８０の時間及び周波数位置は対応するデータ割当パケット（例えば、制御チャネルを使用する）の時間及び周波数位置の陰関数であり、そしてＡＣＫ ＴＸパターンの次のブロック４８２及び４８４の時間及び周波数位置は対応するデータ割当パケット（例えば、制御チャネルを使用する）の時間及び周波数位置の陰関数である。
【００４７】
図５−６を参照すると、ＡＣＫ／ＮＡＫ再伝送のためにＨＡＲＱを実行するための機構に関係する方法論である。説明を簡単にするために、方法論は一連の動作として示され、且つ記述されるけれども、いくつかの動作は、請求項の主題に従って、ここに示され、且つ記述されたものとは異なった順序で、且つ／または同時に起こるので、方法論は動作の順序に制限されないことを理解、且つ認識すべきである。例えば、方法論は、例えば状態図において、一連の相関のある状態または事象として表されることを当業者は理解し、且つ認識するであろう。さらに、必ずしも全ての例示された動作が請求項の主題に従って方法論を実施する必要はない。
【００４８】
特に図５に転じると、一形態に基づく無線通信システムにおいてＨＡＲＱ処理を使用してデータ・パケット伝送を容易化する方法論５００の例が例示されている。方法５００は端末（例えば、強化ノード基地局、ｅノードＢ、アクセスポイント（ＡＰ）、基地局、または同様の機構）から一以上の端末デバイス（例えば、ユーザー装置、ＵＥ、ＡＴ、または同様の機構) へ無線通信ネットワークを介してデータ・パケットを伝送するのを容易にする。その方法は５０４において始まり、その方法はＡＣＫ／ＮＡＫ繰返し手法がＨＡＲＱ処理に使用されるかどうかを決定する。一形態では、システムは時間継続期間に繰返し手法を使用してノードＢに開始を要求し、またはある無線フレームに関して繰返し手法を使用することを要求する。その方法は繰返し手法を使用するかどうかを示すメモリーに記憶された指示にアクセスする。５０４における方法はＡＣＫ／ＮＡＫ伝送のために使用される最大繰返し係数（ＭＲＦ）を決定する。ＭＲＦはデータ・パケットの受信器がＡＣＫ／ＮＡＫを伝送する必要がある最高回数（例えば、ＡＣＫ／ＮＡＫが送信器によって受取られる回数）である。送信器のスケジューラーはデータ・パケットの各受信器の繰返し係数を解析し、そして最高繰返し係数値を選択することによって最高値を決定する。最大繰返し係数はノードＢについて、例えば、３の最大繰返し係数に事前設定され、そこでは最大繰返しは３回を許容される。５０６における方法はＭＲＦが１より大きいかどうかを判定する。ＭＲＦが１より大きいことが判定されたならば、方法は５１２、５１４、５１６及び５１８を実行する。他の場合には、方法は５０８及び５１０を実行し、そこでは５０８における方法は初期設定（default）伝送パターン（例えば、ＡＣＫＣＨの周波数の非分割）を使用して資源を割付け、そしてデータ・パケットを伝送する。５１２において、その方法は、図４の４５０に示したように、無線フレームに関する第一の伝送パターンを決定する。無線フレームの第一の伝送パターンを決定した後、その方法は無線フレーム、例えば、図４に示した１０フレームの全ＨＡＲＱ処理のために５１４、５１６及び５１８の実行を開始する。５１４において、その方法はデータ・パケットの各受信器のためのＡＣＫ／ＮＡＫ伝送パターン（例えば、図４に示したサブブロック４８０、４８２及び４８４によって作られた伝送パターン）を決定する。５１６において、その方法は決定されたＡＣＫ／ＮＡＫ伝送パターンに基づいて資源を割付ける。資源の割付けはそれらの使用の前に適切な受信器に伝送される。５１８において、その方法はデータを伝送し、そしてＡＣＫ／ＮＡＫ伝送パターンに基づいて適切な周波数及び時間（例えば、サブブロック）においてＡＣＫ／ＮＡＫの受信を待つ。
【００４９】
図６に転じると、一形態による無線通信システムにおけるＡＣＫ／ＮＡＫ伝送に関するＨＡＲＱ処理を容易化する方法論６００の例である。方法６００は無線通信ネットワークにおける端末（強化ノード基地局、ｅノードＢ、アクセスポイント（ＡＰ）、基地局または同様の機構）によるＡＣＫ／ＮＡＫ伝送を容易化する。一形態によれば、６０２において、その方法はデータ伝送（例えば、データ・パケット）を受取る。ブロック６０４において、その方法は受信データ伝送に応答するために使用するＡＣＫ／ＮＡＫ繰返し係数を決定する。繰返し係数はＡＣＫ／ＮＡＫが繰返されるべき回数を規定する。ＡＣＫ／ＮＡＫ繰返し係数は受信器のメモリーから読出すことを含む上述の様々な技術を用いて決定される。同じく、繰返し係数はデータ伝送を受取る前に、もしくはデータ伝送と共に送信器によって受取られる。６０６において、その方法はＡＣＫ／ＮＡＫ繰返し係数が１より大きいかどうかを判定する。ＡＣＫ／ＮＡＫ繰返し係数が１より大きいことが判定されたならば、その方法は６０８及び６１０を実行する。他の場合には、その方法は６１２及び６１４を実行する。６０８において、一形態による方法はＡＣＫ／ＮＡＫを伝送するための周波数及び時間位置（例えば、伝送パターン）を決定する。その後、６１０において、その方法は伝送パターンに従って指定の資源ブロックを使用してＡＣＫ／ＮＡＫを伝送する。６１２を特に参照すると、その方法は各々が各サブブロックの周波数及び時間位置において伝送位置を提供する、一組のＡＣＫ／ＮＡＫ伝送パターンからＡＣＫ／ＮＡＫ伝送パターンを決定もしくは選択する。一形態では、メモリーの検索テーブルを使用して、その方法はＡＣＫ／ＮＡＫ伝送パターン（周波数及び時間における一以上のサブブロックの位置）を抽出する。例えば、繰返し係数が３であるならば、伝送パターンは三つのＡＣＫを伝送するために使用されるサブブロックに関する、全てが時間及び周波数において直交する、図４に示したサブブロック４８０、４８２及び４８４、または他の任意の周波数及び時間位置の組合せで構成される。一形態では、次のＡＣＫ／ＮＡＫ伝送のために使用されるサブブロックの位置は、例えば、二組のシンボルだけオフセットされ、第二のＡＣＫ ０は４５６で表されたシンボルの集合を使用して伝送され、そして第三のＡＣＫ ０は図４に示したように（例えば、１サブブロックのシンボル長さだけ時間がオフセットされる）４６０で表されたシンボルの集合を使用して伝送されるであろう。一形態では、第一のまたは各受信データ・パケットに関するただ一つのＡＣＫ／ＮＡＫ伝送のためのサブブロックの伝送位置は、繰返し係数に関係なく、周波数が同じである。従って、次の受信データ・パケットのＡＣＫ／ＮＡＫを伝送するためのサブブロックの位置は一組の周波数トーンによって次の受信データ・パケットのためのＡＣＫ／ＮＡＫ伝送との衝突を避けるためにオフセットされなければならない。ブロック６１４において、その方法は繰返し係数に基づき、且つ決定されたＡＣＫ／ＮＡＫ伝送パターンに従ってＡＣＫ／ＮＡＫ伝送を行う。
【００５０】
一以上の形態に従って、図７は通信ネットワークにフィードバックを行うことができる典型的なアクセス端末７００を示す。アクセス端末７００は信号を受信し、そして受信信号に一般的な処理（例えば、フィルター、増幅、低変換、等）を行う受信器７０２（例えば、アンテナ）を含む。特に、受信器７０２はまた伝送割付け期間の一以上のブロックに割当てられたサービスを定義するサービス・スケジュール、ここに述べたフィードバック情報を提供するための上り回線資源のブロックと下り回線資源のブロックを相関させるスケジュール、等を受取ることができる。受信器７０２は受信シンボルを復調し、そしてそれらを評価のためにプロセッサー７０６に提供する復調器７０４を含む。プロセッサー７０６は受信器７０２によって受取られた情報を解析し、且つ／または送信器７１６による伝送のための情報を生成する専用のプロセッサーである。さらに、プロセッサー７０６はアクセス端末７００の一以上の構成要素を制御するプロセッサー及び／または受信器７０２によって受取られた情報を解析し、送信器７１６による伝送のための情報を生成し、そしてアクセス端末７００の一以上の構成要素を制御するプロセッサーである。さらに、ここに述べたように、プロセッサー７０６は受信器７０２によって受取られた上り回線及び下り回線資源の相関を解釈し、未受信下り回線ブロックを確認し、或いは未受信ブロック等のような信号に適切な、ビット・マップのような、フィードバック・メッセージを生成し、或いは複数の上り回線資源の適切な上り回線資源を決定するためハッシュ関数を解析するための命令を実行することができる。
【００５１】
アクセス端末７００はさらにプロセッサー７０６に動作可能に接続され、そして伝送、受信などされるべきデータを記憶するメモリー７０８を含む。メモリー７０８は下り回線資源スケジュール計画、前述の計画を評価するプロトコル、伝送の未受信部分を確認し、判読できない伝送を判定し、フィードバック・メッセージをアクセスポイントに伝送するためのプロトコル、等に関係する情報を記憶する。
【００５２】
ここに述べたデータ記憶（例えば、メモリー７０８）は揮発性メモリーまたは不揮発性メモリーのいずれかであり、或いは揮発性及び不揮発性メモリーの両方を含むことは理解されるであろう。制限ではなく、例示として、不揮発性メモリーは読出し専用メモリー（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、またはフラッシュ・メモリーを含む。揮発性メモリーはランダム・アクセス・メモリー（ＲＡＭ）を含み、それは外部キャッシュ・メモリーとして働く。制限ではなく、例示として、ＲＡＭは多くの形式で利用可能であり、同期ＲＡＭ（synchronous RAM：ＳＲＡＭ）、ダイナミックＲＡＭ（ＤＲＡＭ）、同期ＤＲＡＭ（ＳＤＲＡＭ）、二重データ・レートＳＤＲＡＭ（ＤＤＲ ＳＤＲＡＭ）、強化ＳＤＲＡＭ（ＥＳＤＲＡＭ）、シンクリンクＤＲＡＭ（Synchlink DRAM：ＳＬＤＲＡＭ）、及び直接ランバスＲＡＭ（direct Rambus RAM：ＤＲＤＲＡＭ）がある。本題のシステム及び方法のメモリー７０８はこれら及び他の適切な形式のメモリーを含むとしているが、それに制限されない。
【００５３】
受信器７０２は下り回線伝送資源の一以上の追加ブロックと上り回線伝送資源のブロックとの間のスケジュール化相関を受取ることができる多重アンテナ（multiplex antenna）７１０に（例えば、ビットマップ応答において多数のＮＡＣＫまたはＡＣＫメッセージの提供を容易にするために）動作可能に連結される。多重プロセッサー（multiplex processor）７０６は第一の下り回線ブロック及び一以上の追加下り回線ブロックの各々が単一上り回線資源上で受取られるか、もしくは受取られないかを示すＡＣＫもしくはＮＡＣＫメッセージを提供するフィードバック・メッセージ中に多桁ビットマップ（multi-digit bitmap）を含む。 さらに、計算用プロセッサー７１２はフィードバック確率関数を受取る（ここでその関数は下り回線伝送資源のブロック、またはそれに関連するデータが受取られないならば、ここに述べたように、アクセス端末７００によってフィードバック・メッセージが提供される確率を制限する）。特に、そのような確率関数は多数のデバイスが喪失データを通報しつつあるならば干渉を減少させるために使用される。
【００５４】
アクセス端末７００はなおさらに変調器７１４、及び信号を、例えば、基地局、アクセスポイント、別のアクセス端末、遠隔エージェント等に伝送する送信器７１６を含む。プロセッサー７０６から分離して示されているが、信号発生器７１０及び指標評価器（indicator evaluator）７１２はプロセッサー７０６の一部であるか、またはいくつかのプロセッサー（示されてない）である。
【００５５】
図８はＬＴＥネットワークに喪失伝送データに関係するフィードバックの提供を容易にするシステム８００の例示である。システム８００は複数の受信アンテナ８０６を介して一以上のモバイル・デバイス８０４から信号を受取る受信器 ８１０、及び送信アンテナ８０８を介して一以上のモバイル・デバイス８０４に伝送する送信器８２２を持つ基地局８０２（例えば、アクセスポイント、・・・）を含む。受信器８１０は受信アンテナ８０６から情報を受取り、そして未受信、或いは判読できないデータ・パケットに関係するフィードバック・データを受取る信号受取器（示されない）をさらに含む。さらに、受信器８１０は受信情報を復調する復調器８１２と動作可能に関連する。復調シンボルは上り回線及び下り回線資源を相関させ、ネットワークから動的及び静的な相関を行うのに関係する情報、同様にモバイル・デバイス８０４（または異なる基地局（示されない））へ伝送されるデータ、またはそこから受信されるデータ、及び／または様々な働き及び機能を実行するのに関係するその他の適切な情報を記憶するメモリー８１６に接続されるプロセッサー８１４によって解析される。
【００５６】
プロセッサー８１４はさらに下り回線伝送資源のブロックとマルチキャスト（multicast）または同報（broadcast）サービスのための上り回線伝送資源のブロックとの間の割当期間に相関関係を予定計画する連関プロセッサー（association processor）８１８と連結される。さらに、下り回線伝送資源に関する複数のフィードバック・メッセージの受取りを可能にするために、連関プロセッサー８１８は上り回線伝送資源の一以上の追加ブロックと下り回線伝送資源のブロックとの間の相関関係をさらに予定計画する。その結果、下り回線資源に関係するフィードバック・メッセージの相対的な数が決定される。さらに、フィードバック・メッセージの中に含まれる単一ビットマップが下り回線伝送資源の複数のブロックに関するＡＣＫまたはＮＡＣを示すことができるように、連関プロセッサー８１８は下り回線伝送資源の複数のブロックとマルチキャストまたは同報サービスのための上り回線伝送資源との間の相関関係を予定計画する。
【００５７】
連関プロセッサー８１８は確率係数（probability factor）を生成する計算用プロセッサー８２０に連結され、それは端末デバイスがフィードバック・メッセージを提供する可能性を制限する。確率係数は多数の端末デバイスからのフィードバック干渉を低減させるために基地局８０２によって使用される。さらに、計算用プロセッサー８２０はフィードバック・メッセージを提出する際に使用する特定の上り回線伝送資源を複数の端末デバイスの各々に指示することができる基地局８０２によって伝送されるハッシュ関数を生成する。ハッシュ関数指示は各端末デバイスのアクセス・クラス、各端末同一性のハッシュ値、各端末デバイスによって利用されるサービスの同一性、ブロック特定情報、またはその組合せに少なくとも一部基づいている。
【００５８】
さらに、計算用プロセッサー８２０は下り回線伝送資源のブロックに関係するいくつかの受信フィードバック・メッセージを決定する仕分け用プロセッサー（sorting processor）８２１に連結される。例えば、下り回線伝送資源のブロックが多数の上り回線伝送資源と（例えば、上述の連関プロセッサー８１８によって）結合されるならば、二つ以上のフィードバック・メッセージが下り回線資源に関する基地局８０２によって受取られる。仕分け用プロセッサー８２１は従ってどのようなフィードバック・メッセージが下り回線ブロックに対応するかを特定することができ、それはその下り回線ブロックに関する再伝送優先度を示す。さらに、仕分け用プロセッサー８２１は下り回線伝送資源の各ブロックに関係する受信フィードバック・メッセージの数に少なくとも一部基づいて下り回線伝送資源の多数のブロックを再伝送する間で選出する。
【００５９】
次に図９を参照すると、下り回線上で、アクセスポイント９０５において、送信（ＴＸ）データ・プロセッサー９１０はトラヒック・データを受信、フォーマット、符号化、インタリーブ、及び変調（または、シンボル写像）し、そして変調シンボル（「データ・シンボル」）を提供する。シンボル変調器９１５はデータ・シンボル及びパイロット・シンボルを受信し、且つ処理し、そしてシンボル・ストリームを提供する。シンボル変調器９１５はデータ及びパイロット・シンボルを多重化し、そしてそれらを送信器ユニット（ＴＭＴＲ）９２０に提供する。各送信シンボルはデータ・シンボル、パイロット・シンボル、またはゼロの信号値である。パイロット・シンボルは各シンボル期間に連続して送られる。パイロット・シンボルは周波数分割多重化（ＦＤＭ）、直交周波数分割多重化（ＯＦＤＭ）、時分割多重化（ＴＤＭ）、または符号分割多重化（ＣＤＭ）される。
【００６０】
ＴＭＴＲ ９２０はシンボル・ストリームを受取り、且つ一以上のアナログ信号に変換し、そしてさらに無線チャネル上で伝送に適した下り回線信号を生成するためにアナログ信号を調整（例えば、増幅、フィルター、及び周波数アップコンバート）する。下り回線信号はそのあとアンテナ９２５を介して端末に伝送される。端末９３０において、アンテナ９３５は下り回線信号を受信し、そして受信信号を受信器ユニット（ＲＣＶＲ）９４０に提供する。受信器ユニット９４０は受信信号を処理（例えば、フィルター、増幅、そして周波数ダウンコンバート）し、そしてサンプルを取得するために処理信号をディジタル化する。シンボル復調器９４５はチャネル評価のために受信パイロット・シンボルを復調し、そしてプロセッサー９５０に提供する。シンボル復調器９４５はさらに下り回線の周波数応答評価をプロセッサー９５０から受取り、データシンボル推定値（それは伝送データ・シンボルの評価である）を取得するために受信データ・シンボルにデータ復調を行い、そしてそのデータ・シンボルをＲＸデータ・プロセッサー９５５（それは伝送トラヒック・データを再生するためにデータシンボル推定値を復調（即ち、シンボル逆写像、逆インタリーブ、そして復号する）に提供する。シンボル復調器９４５及びＲＸデータ・プロセッサー９５５による処理はシンボル変調器９１５及びＴＸデータ・プロセッサー９１０による処理に、アクセスポイント９０５においてそれぞれ相補的である。
【００６１】
上り回線上で、ＴＸデータ・プロセッサー９６０はトラヒック・データを処理し、そしてデータ・シンボルを提供する。シンボル変調器９６５はデータ・シンボルをパイロット・シンボルと多重化し、変調を行い、そしてシンボル・ストリームを提供する。送信器ユニット９７０は上り回線信号を生成するためにシンボル・ストリームを受取り、且つ処理し、それはアンテナ９３５によってアクセスポイント９０５へ伝送される。
【００６２】
アクセスポイント９０５において、端末９３０からの上り回線信号はアンテナ９２５によって受信され、そしてサンプルを取得するために受信器ユニット９７５によって処理される。シンボル復調器９８０はそのあとサンプルを処理し、そして上り回線の受信パイロット・シンボル及びデータシンボル推定値を提供する。ＲＸデータ・プロセッサー９８５は端末９３０によって伝送されたトラヒック・データを再生するためにデータシンボル推定値を処理する。プロセッサー９９０は上り回線上で伝送している各稼働端末に関するチャネル評価を行う。多数の端末はパイロット・サブバンドのそれぞれの端末に割当てられた集合上の上り回線上で同時にパイロットを伝送し、そこではパイロット・サブバンドはインターレースされる。
【００６３】
プロセッサー９９０及び９５０はアクセスポイント９０５及び端末９３０における動作をそれぞれ方向付け（例えば、制御、調整、管理、等）する。それぞれのプロセッサー９９０及び９５０はプログラム・コード及びデータを記憶するメモリー・ユニット（示されない）と関連する。プロセッサー９９０及び９５０はまた上り回線及び下り回線に関する周波数及びインパルス応答評価をそれぞれ得るために計算を行う。
【００６４】
多元アクセス・システム（例えば、ＦＤＭＡ、ＯＦＤＭＡ、ＣＤＭＡ、ＴＤＭＡ、等）について、多数の端末は同時に上り回線で伝送する。そのようなシステムについて、パイロット・サブバンドが異なる端末の間で共有される。チャネル評価技術は各端末に関するパイロット・サブバンドが全体の動作帯域（恐らく帯域端を除いて）にわたる場合に使用される。そのようなパイロット・サブバンド構造は各端末に関して周波数ダイバシティを取得するために望ましいであろう。ここに述べた技術は様々な方法によって実施される。例えば、これらの技術はハードウェア、ソフトウェア、またはその組合せにおいて実施される。ハードウェア実施では、それはディジタル、アナログ、またはディジタル及びアナログの双方であり、チャネル評価のために使用される処理ユニットは一以上の特定用途向け集積回路（ＡＳＩＣ）、ディジタル信号プロセッサー（ＤＳＰ）、ディジタル信号処理デバイス（ＰＳＰＤ）、プログラマブル論理デバイス（ＰＬＤ）、フィールド・ プログラマブル・ゲートアレイ（ＦＰＧＡ）、プロセッサー、コントローラー、マイクロコントローラー、マイクロプロセッサー、ここに述べた機能を実行するために設計された他の電子ユニット、またはその組合せの中で実施される。ソフトウェア・コードはメモリー・ユニットに記憶され、そしてプロセッサー９９０及び９５０によって実行される。
【００６５】
ここに述べた実施例はハードウェア、ソフトウェア、ファームウェア、ミドルウェア、マイクロコード、またはその任意の組合せにおいて実行されることを理解すべきである。ハードウェア実施について、処理ユニットは一以上の特定用途向け集積回路（ＡＳＩＣ）、ディジタル信号プロセッサー（ＤＳＰ）、ディジタル信号処理デバイス（ＰＳＰＤ）、プログラマブル論理デバイス（ＰＬＤ）、フィールド・ プログラマブル・ゲートアレイ（ＦＰＧＡ）、プロセッサー、コントローラー、マイクロコントローラー、マイクロプロセッサー、ここに述べた機能を実行するために設計された他の電子ユニット、またはその組合せの中で実施される。
【００６６】
実施例がソフトウェア、ファームウェア、ミドルウェアまたはマイクロコード、プログラム・コードまたはコード・セグメントにおいて実施されるとき、それらは記憶要素といった、マシン可読媒体に記憶される。コード・セグメントは手順、関数、サブプログラム、プログラム、ルーチン、サブルーチン、モジュール、ソフトウェア・パッケージ、クラス、または命令、データ構造、またはプログラム明細書の任意の組合せを表す。コード・セグメントは情報、データ、議論、パラメータ、またはメモリー内容を渡したり、且つ／または受取ることによって別のコード・セグメントまたはハードウェア回路と連結される。情報、引数（arguments）、パラメータ、データ等はメモリー共有、メッセージ・パッシング、トークン・パッシング、ネットワーク伝送等を含む適切な手段を使用して渡され、転送され、或いは伝送される。
【００６７】
ソフトウェア実施について、ここに述べた技術はここに述べた機能を実行するモジュール（例えば、手順、関数、等）によって実施される。ソフトウェア・コードはメモリー・ユニットに記憶され、そしてプロセッサーによって実行される。メモリー・ユニットはプロセッサーの中または外部に実装され、プロセッサーは当技術分野において既知の様々な手段によって実施される。
【００６８】
次に図１０を参照すると、無線通信において伝送パターンを使用してＡＣＫ／ＮＡＫの繰返しを容易にするシステム１０００を例示する。システム１０００は第一のアクノレジメントが第一のデータ伝送の受取りに応答して何回繰返されるべきかを決定するために繰返し係数を使用するためのモジュール１００２を含む。モジュール１００４はアクノレジメント伝送（ＡＣＫ ＴＸ）パターンを選択するものであり、そしてモジュール１００６はＡＣＫ ＴＸパターンに従って第一のアクノレジメントを繰返して伝送するものである。モジュール１００２〜１００６はプロセッサーまたは任意の電子デバイスであり、そしてメモリー・モジュール１００８に連結される。
【００６９】
次に図１１を参照すると、無線通信において伝送パターンを使用してＡＣＫ／ＮＡＫの繰返しを容易にするシステム１１００が例示される。 システム１１００はトーンの第一の集合及びフレーム・シンボルの第一の集合を使用して第一のデータ伝送の受取りに応答して第一のアクノレジメントを伝送するためのモジュール１１０２を含む。モジュール１１０４はトーンの第二の集合及びフレーム・シンボルの第二の集合を使用して第一のデータ伝送の受取りに応答して第一のアクノレジメントを伝送するものである。モジュール１１０２〜１１０４はプロセッサーまたは任意の電子デバイスであり、そしてメモリー・モジュール１００６に連結される。
【００７０】
次に図１２を参照すると、無線通信において伝送パターンを使用してＡＣＫ／ＮＡＫの繰返しを容易にするシステム１２００が例示される。 システム１２００は、第一のアクノレジメントが受取られる回数を示す最大繰返し係数を決定するためのモジュール１２０２を含む。モジュール１１０４は最大繰返し係数を使用して第一の伝送パターンを決定するためのものであり、そしてモジュール１１０６は第一のアクノレジメントに関する第一の伝送パターンに基づいて資源を割付けるものである。モジュール１２０２〜１２０６はプロセッサーまたは任意の電子デバイスであり、そしてメモリー・モジュール１００８に連結される。
【００７１】
上に述べてきたものは一以上の形態の例を含む。勿論、前述の形態を示す目的のために構成要素または方法論の全ての考えられる組合せを示すことは不可能であるが、当業者は様々な形態の多くのさらなる組合せ及び置換えが可能であることを認識する。従って、記載した形態は付加の請求項の範囲内に入る全てのそのような変更、修正、及び変形を受入れるものである。さらに、用語「含む（includes）」が詳細説明または請求項のいずれかに使用される範囲内で、「構成する（comprising）」が請求項において使用されるとき暫定語として解釈されるので、そのような用語は用語「構成する（comprising）」に似た形で含まれる。
以下に他の実施形態を示す。
［１］無線通信において動作可能な方法であって、
第一のアクノレジメントが第一のデータ伝送の受取りに応答して何回繰返されるべきかを決定するために繰返し係数を使用すること、
第一のアクノレジメントを伝送するために使用される複数ブロックの周波数及び時間位置から成る、アクノレジメント伝送（ＡＣＫ ＴＸ）パターンを選択すること、
ＡＣＫ ＴＸパターンに従って第一のアクノレジメントを繰返して伝送することを含む方法。
［２］ＡＣＫ ＴＸパターンを選択することは対応する第一のデータ伝送の時間及び周波数位置の陰関数としてＡＣＫ ＴＸパターンを選択することを含み、データ伝送はデータ・パケットを含む、［１］の方法。
［３］ＡＣＫ ＴＸパターンを選択することは対応する第一のデータ伝送の時間及び周波数位置の陰関数としてＡＣＫ ＴＸパターンを選択することを含み、データ伝送はデータ割当パケットを含む、［１］の方法。
［４］繰返し係数を使用することは繰返し係数を受取ることを含む、［１］の方法。
［５］ＡＣＫ ＴＸパターンを選択することは繰返し係数を使用して複数のＡＣＫ ＴＸパターンから選択することを含む、［１］の方法。
［６］ＡＣＫ ＴＸパターンを選択することは複数のブロックを持つ第一のＡＣＫ ＴＸパターンを選択すること、及び第一のアクノレジメントを伝送するための異なる時間及び周波数資源を複数のブロックの各ブロックに割付けることを含む、［１］の方法。
［７］複数のブロックの各ブロックに時間及び周波数資源を割付けることは、
対応するデータ・パケットの時間及び周波数位置の陰関数として時間及び周波数資源を第一のブロックに割付けること、及び
対応するデータ・パケットの時間及び周波数位置の陰関数として時間及び周波数資源を次のブロックに割付けることを含む、［６］の方法。
［８］複数のブロックの各ブロックに時間及び周波数資源を割付けることは、
対応するデータ割当パケットの時間及び周波数位置の陰関数として時間及び周波数資源を第一のブロックに割付けること、及び
対応するデータ割当パケットの時間及び周波数位置の陰関数として時間及び周波数資源を次のブロックに割付けることを含む、［６］の方法。
［９］無線通信において動作可能な方法であって、
トーンの第一の集合及びフレーム・シンボルの第一の集合を使用して第一のデータ伝送の受取りに応答して第一のアクノレジメントを伝送すること、及び
トーンの第二の集合及びフレーム・シンボルの第二の集合を使用して第一のデータ伝送の受取りに応答して第一のアクノレジメントを伝送することを含み、ここでトーンの第一の集合及びトーンの第二の集合は相互に直交し、そしてシンボルの第一の集合及びシンボルの第二の集合は相互に直交する方法。
［１０］トーンの第三の集合及びフレーム・シンボルの第三の集合を使用して第三のデータ伝送の受取りに応答して第一のアクノレジメントを伝送することをさらに含み、ここでトーンの第一の集合、トーンの第二の集合及びトーンの第三の集合は相互に直交し、そしてシンボルの第一の集合、シンボルの第二の集合及びシンボルの第三の集合は相互に直交する、［９］の方法。
［１１］無線通信における動作可能な装置であって、
第一のアクノレジメントが第一のデータ伝送の受取りに応答して何回繰返されるべきかを決定するために繰返し係数を使用するための手段、
第一のアクノレジメントを伝送するために使用される複数ブロックの周波数及び時間位置から成る、アクノレジメント伝送（ＡＣＫ ＴＸ）パターンを選択するための手段、
ＡＣＫ ＴＸパターンに従って第一のアクノレジメントを繰返して伝送するための手段を具備する装置。
［１２］ＡＣＫ ＴＸパターンを選択するための手段は対応する第一のデータ伝送の時間及び周波数位置の陰関数としてＡＣＫ ＴＸパターンを選択するための手段を含み、データ伝送はデータ・パケットを含む、［１１］の装置。
［１３］ＡＣＫ ＴＸパターンを選択するための手段は対応する第一のデータ伝送の時間及び周波数位置の陰関数としてＡＣＫ ＴＸパターンを選択するための手段を含み、データ伝送はデータ割当パケットを含む、［１１］の装置。
［１４］繰返し係数を使用するための手段は繰返し係数を受取るための手段を含む、［１１］の装置。
［１５］ＡＣＫ ＴＸパターンを選択するための手段は繰返し係数を使用して複数のＡＣＫ ＴＸパターンから選択するための手段を含む、［１１］の装置。
［１６］ＡＣＫ ＴＸパターンを選択するための手段は複数のブロックを持つ第一のＡＣＫ ＴＸパターンを選択し、そして第一のアクノレジメントを伝送するための異なる時間及び周波数資源を複数のブロックの各ブロックに割付けるための手段を含む、［１１］の装置。
［１７］複数のブロックの各ブロックに時間及び周波数資源を割付けるための手段は、
対応するデータ・パケットの時間及び周波数位置の陰関数として時間及び周波数資源を第一のブロックに割付けるための手段、及び
対応するデータ・パケットの時間及び周波数位置の陰関数として時間及び周波数資源を次のブロックに割付けるための手段を含む、［１１］の装置。
［１８］複数のブロックの各ブロックに時間及び周波数資源を割付けるための手段は、
対応するデータ割当パケットの時間及び周波数位置の陰関数として時間及び周波数資源を第一のブロックに割付けるための手段、及び
対応するデータ割当パケットの時間及び周波数位置の陰関数として時間及び周波数資源を次のブロックに割付けるための手段を含む、［１１］の装置。
［１９］無線通信における動作可能な装置であって、
トーンの第一の集合及びフレーム・シンボルの第一の集合を使用して第一のデータ伝送の受取りに応答して第一のアクノレジメントを伝送するための手段、及び
トーンの第二の集合及びフレーム・シンボルの第二の集合を使用して第一のデータ伝送の受取りに応答して第一のアクノレジメントを伝送するための手段を含み、ここでトーンの第一の集合及びトーンの第二の集合は相互に直交し、そしてシンボルの第一の集合及びシンボルの第二の集合は相互に直交する装置。
［２０］トーンの第三の集合及びフレーム・シンボルの第三の集合を使用して第三のデータ伝送の受取りに応答して第一のアクノレジメントを伝送するための手段をさらに具備し、ここでトーンの第一の集合、トーンの第二の集合及びトーンの第三の集合は相互に直交し、そしてシンボルの第一の集合、シンボルの第二の集合及びシンボルの第三の集合は相互に直交する、［１９］の装置。
［２１］コンピューター可読媒体を具備するコンピューター・プログラム製品であって、
第一のアクノレジメントが第一のデータ伝送の受取りに応答して何回繰返されるべきかを決定するために繰返し係数を使用するためのコード、
第一のアクノレジメントを伝送するために使用される複数ブロックの周波数及び時間位置から成る、アクノレジメント伝送（ＡＣＫ ＴＸ）パターンを選択するためのコード、
ＡＣＫ ＴＸパターンに従って第一のアクノレジメントを繰返して伝送するためのコードを含む  コンピューター可読媒体。
［２２］ＡＣＫ ＴＸパターンを選択するためのコードは対応する第一のデータ伝送の時間及び周波数位置の陰関数としてＡＣＫ ＴＸパターンを選択するためのコードを含み、データ伝送はデータ・パケットを含む、［２１］のコンピューター・プログラム製品。
［２３］ＡＣＫ ＴＸパターンを選択するためのコードは対応する第一のデータ伝送の時間及び周波数位置の陰関数としてＡＣＫ ＴＸパターンを選択するためのコードを含み、データ伝送はデータ割当パケットを含む、［２１］のコンピューター・プログラム製品。
［２４］ＡＣＫ ＴＸパターンを選択するためのコードは複数のブロックを持つ第一のＡＣＫ ＴＸパターンを選択し、そして第一のアクノレジメントを伝送するための異なる時間及び周波数資源を複数ブロックの各ブロックに割付けるためのコードを含む、［２１］のコンピューター・プログラム製品。
［２５］コンピューター可読媒体を具備するコンピューター・プログラム製品であって、  
トーンの第一の集合及びフレーム・シンボルの第一の集合を使用して第一のデータ伝送の受取りに応答して第一のアクノレジメントを伝送するためのコード、及び
トーンの第二の集合及びフレーム・シンボルの第二の集合を使用して第一のデータ伝送の受取りに応答して第一のアクノレジメントを伝送するためのコードを含み、ここでトーンの第一の集合及びトーンの第二の集合は相互に直交し、そしてシンボルの第一の集合及びシンボルの第二の集合は相互に直交する、コンピューター可読媒体。
［２６］無線通信における動作可能な装置であって、
第一のアクノレジメントが第一のデータ伝送の受取りに応答して何回繰返されるべきかを決定するために繰返し係数を使用し、
第一のアクノレジメントを伝送するために使用される複数ブロックの周波数及び時間位置から成る、アクノレジメント伝送（ＡＣＫ ＴＸ）パターンを選択し、
ＡＣＫ ＴＸパターンに従って第一のアクノレジメントを繰返して伝送するように構成された、少なくとも一つのプロセッサーを具備する装置。
［２７］ＡＣＫ ＴＸパターンは対応する第一のデータ伝送の時間及び周波数位置の陰関数であり、データ伝送はデータ・パケットを含む、［２６］の装置。
［２８］ＡＣＫ ＴＸパターンは対応する第一のデータ伝送の時間及び周波数位置の陰関数であり、データ伝送はデータ割当パケットを含む、［２６］の装置。
［２９］ＡＣＫ ＴＸパターンは複数のブロックを持ち、そして第一のアクノレジメントを伝送するための異なる時間及び周波数資源を複数のブロックの各ブロックに割付ける第一のＡＣＫ ＴＸパターンを含む、［２６］の装置。
［３０］無線通信における動作可能な装置であって、
トーンの第一の集合及びフレーム・シンボルの第一の集合を使用して第一のデータ伝送の受取りに応答して第一のアクノレジメントを伝送し、そして
トーンの第二の集合及びフレーム・シンボルの第二の集合を使用して第一のデータ伝送の受取りに応答して第一のアクノレジメントを伝送するように構成され、ここでトーンの第一の集合及びトーンの第二の集合は相互に直交し、そしてシンボルの第一の集合及びシンボルの第二の集合は相互に直交する、少なくとも一つのプロセッサーを具備する装置。
［３１］無線通信において動作可能な装置であって、
第一のアクノレジメントが受取られる回数を示す最大繰返し係数を決定するための手段、
最大繰返し係数を使用して第一の伝送パターンを決定するための手段であって、ここで第一の伝送パターンは第一のアクノレジメントを受取るために使用される複数のブロックの周波数及び時間位置からなり、及び
第一のアクノレジメントを受取るために第一の伝送パターンに基づいて資源を割付けるための手段を具備する装置。
［３２］第一の伝送パターンを決定するための手段は伝送パターンの一覧表の中から第一の伝送パターンを選択するための手段を含む、［３１］の装置。
［３３］伝送パターンはデータ・パケットの時間及び周波数位置の陰関数である、［３２］の装置。
［３４］伝送パターンはデータ割当パケットの時間及び周波数位置の陰関数である、［３２］の装置。
［３５］最大繰返し係数を決定するための手段は伝送されるデータ・パケットについてアクノレジメントを繰返すために使用される最高繰返し係数を選択するための手段を含む、［３１］の装置。
［３６］第一の伝送パターンを決定するための手段は繰返し係数を使用してパターンを選択するための手段を含む、［３１］の装置。
［３７］第一の伝送を選択するための手段は第一のブロック、第二のブロック、及び第三のブロックを持つ第一の伝送パターンを選択するための手段を含み、ここで各ブロックは時間及び周波数において直交し、そして第一のアクノレジメントを伝送するために使用される、［３１］の装置。
［３８］資源を割付けることは第一のアクノレジメントを受取るために第一のブロック及び第二のブロックの時間及び周波数資源を割付けることを含む、［３７］の装置。
［３９］無線通信における動作可能な方法であって、
第一のアクノレジメントが受取られる回数を示す最大繰返し係数を決定すること、  
最大繰返し係数を使用して第一の伝送パターンを決定することであって、ここで第一の伝送パターンは第一のアクノレジメントを受取るために使用される複数のブロックの周波数及び時間位置からなり、及び
第一のアクノレジメントを受取るために第一の伝送パターンに基づいて資源を割付けることを含む方法。
［４０］第一の伝送パターンを決定することは伝送パターンの一覧表の中から第一の伝送パターンを選択することを含む、［３９］の方法。
［４１］伝送パターンを選択することは対応する第一のデータ伝送の時間及び周波数位置の陰関数として伝送パターンを選択することを含み、データ伝送はデータ・パケットを含む、［４０］の方法。
［４２］伝送パターンを選択することは対応する第一のデータ伝送の時間及び周波数位置の陰関数として伝送パターンを選択することを含み、データ伝送はデータ割当パケットを含む、［４０］の方法。
［４３］最大繰返し係数を決定することは伝送されるデータ・パケットについてアクノレジメントを繰返すために使用される最高繰返し係数を選択することを含む、［４０］の方法。
［４４］第一の伝送パターンを決定することは繰返し係数を使用して第一の伝送パターンを選択することを含む、［４０］の方法。
［４５］第一の伝送を選択することは第一のブロック、第二のブロック、及び第三のブロックを持つ第一の伝送パターンを選択することを含み、ここで各ブロックが時間及び周波数において直交し、そして第一のアクノレジメントを伝送するために使用される、［４４］の方法。
［４６］資源を割付けることは第一のアクノレジメントを受取るために第一のブロック及び第二のブロックの時間及び周波数資源を割付けることを含む、［４５］の方法。
［４７］コンピューター可読媒体を具備するコンピューター・プログラム製品であって、
第一のアクノレジメントが受取られる回数を示す最大繰返し係数を決定するためのコード、  
最大繰返し係数を使用して第一の伝送パターンを決定するためのコードであって、ここで第一の伝送パターンは第一のアクノレジメントを受取るために使用される複数のブロックの周波数及び時間位置からなり、及び
第一のアクノレジメントを受取るために第一の伝送パターンに基づいて資源を割付けるためのコードを含む、コンピューター可読媒体。
［４８］無線通信において動作可能な装置であって、
第一のアクノレジメントが受取られる回数を示す最大繰返し係数を決定し、
最大繰返し係数を使用して第一の伝送パターンを決定し、ここで第一の伝送パターンは第一のアクノレジメントを受取るために使用される複数のブロックの周波数及び時間位置からなり、及び
第一のアクノレジメントを受取るために第一の伝送パターンに基づいて資源を割付けるように構成された、少なくとも一つのプロセッサーを具備する装置。
［４９］無線通信における動作可能な方法であって、
第一のアクノレジメントが第一のデータ伝送の受取りに応答して何回繰返されるべきかを決定するために繰返し係数を使用すること、
第一のアクノレジメントを伝送するために使用される複数ブロックの周波数及び時間位置から成る、アクノレジメント伝送（ＡＣＫ ＴＸ）パターンを選択すること、及び
ＡＣＫ ＴＸパターンに従って第一のアクノレジメントを繰返して伝送することを含む方法。
［５０］ＡＣＫ ＴＸパターンを選択することは資源が時間、周波数及びコード情報を含むＡＣＫ ＴＸパターンを選択することを含む、［４９］の方法。
【図１】
0005567045.tif 000002
【図２】
0005567045.tif 000003
【図３】
0005567045.tif 000004
【図４】
0005567045.tif 000005
【図５】
0005567045.tif 000006
【図６】
0005567045.tif 000007
【図７】
0005567045.tif 000008
【図８】
0005567045.tif 000009
【図９】
0005567045.tif 000010
【図１０】
0005567045.tif 000011
【図１１】
0005567045.tif 000012
【図１２】
0005567045.tif 000013